(57)【要約】【課題】利便性を高めることができる利用料処理システム、発行装置、および運賃処理装置を提供することである。【解決手段】実施形態の利用料処理システムは、発行装置と、運賃処理装置と、施設利用料処理装置とを持つ。発行装置は、受付部と、書込部と、制御部とを持つ。受付部は、利用者による交通機関の利用権と対象施設の利用権とのセット購入を受け付ける。書込部は、媒体に情報を書き込み可能である。制御部は、前記受付部が前記セット購入を受け付けるのに応じて、前記交通機関の利用区間を認識可能な情報と前記対象施設の利用情報を同一の媒体に書き込むように前記書込部を制御する。【選択図】図１
2015176244.tif 000002
【特許請求の範囲】
【請求項１】
利用者による交通機関の利用権と対象施設の利用権とのセット購入を受け付ける受付部と、
媒体に情報を書き込み可能な書込部と、
前記受付部が前記セット購入を受け付けるのに応じて、前記交通機関の利用区間を認識可能な情報と前記対象施設の利用情報を同一の媒体に書き込むように前記書込部を制御する制御部と、を有する発行装置と、
前記利用者が提示した前記媒体から前記交通機関の利用区間を認識可能な情報を読み取る第１の読取部と、
前記第１の読取部が読み取った情報に基づいて前記交通機関における運賃処理を行う第１の処理部と、を有する運賃処理装置と、
前記利用者が提示した前記媒体から前記利用情報を読み取る第２の読取部と、
前記第２の読取部が読み取った情報に基づいて前記対象施設における利用処理を行う第２の処理部と、を有する施設利用料処理装置と、
を備える利用料処理システム。
【請求項２】
利用者による交通機関の利用権と対象施設の利用権とのセット購入を受け付ける受付部と、
媒体に情報を書き込み可能な書込部と、
前記受付部が前記セット購入を受け付けるのに応じて、前記交通機関の利用区間を認識可能な情報と前記対象施設の利用情報を同一の媒体に書き込むように前記書込部を制御する制御部と、
を有する発行装置。
【請求項３】
利用者が提示した媒体から情報を読み取る読取部と、
前記読取部が読み取った情報に基づいて、交通機関の運賃処理を行う通常運賃処理部と、
前記読取部が読み取った情報に基づいて、交通機関の利用権と対象施設の利用権とがセット購入された場合に前記媒体に書き込まれる、交通機関の利用区間を認識可能な情報に基づく運賃処理を、前記通常運賃処理部とは異なる態様で行うセット乗車処理部と、
を有する運賃処理装置。
【請求項４】
前記読取部が読み取った情報をデコードするデコード部であって、前記読取部に特定の媒体が翳されるのに応じてデコード範囲を拡張するデコード部を備え、
前記セット乗車処理部は、前記デコード部がデコード範囲を拡張した状態で動作可能となる、
請求項３記載の運賃処理装置。
【発明の詳細な説明】
【技術分野】
【０００１】
本発明の実施形態は、利用料処理システム、発行装置、および運賃処理装置に関する。
【背景技術】
【０００２】
鉄道やバス、航空機等の交通機関のチケットと、鉄道沿線等にある有料施設のチケットは、別々に購入する必要があった。これに対し、鉄道事業者等と有料施設がタイアップして、割引価格でセット販売を行うことがある。しかしながら、従来の技術では、セット購入した利用者にとって利便性が十分でない場合があった。
【先行技術文献】
【特許文献】
【０００３】
【特許文献１】特開２０１３−８０３５０号公報
【発明の概要】
【発明が解決しようとする課題】
【０００４】
本発明が解決しようとする課題は、利便性を高めることができる利用料処理システム、発行装置、および運賃処理装置を提供することである。
【課題を解決するための手段】
【０００５】
実施形態の利用料処理システムは、発行装置と、運賃処理装置と、施設利用料処理装置とを持つ。発行装置は、受付部と、書込部と、制御部とを持つ。受付部は、利用者による交通機関の利用権と対象施設の利用権とのセット購入を受け付ける。書込部は、媒体に情報を書き込み可能である。制御部は、前記受付部が前記セット購入を受け付けるのに応じて、前記交通機関の利用区間を認識可能な情報と前記対象施設の利用情報を同一の媒体に書き込むように前記書込部を制御する。運賃処理装置は、第１の読取部と、第１の処理部とを持つ。第１の読取部は、前記利用者が提示した前記媒体から前記交通機関の利用区間を認識可能な情報を読み取る。第１の処理部は、前記第１の読取部が読み取った情報に基づいて前記交通機関における運賃処理を行う。施設利用料処理装置は、第２の読取部と、第２の処理部とを持つ。第２の読取部は、前記利用者が提示した前記媒体から前記利用情報を読み取る。第２の処理部は、前記第２の読取部が読み取った情報に基づいて前記対象施設における利用処理を行う。
【図面の簡単な説明】
【０００６】
【図１】第１の実施形態に係る利用料処理システム１の全体構成の一例を示す図である。
【図２】発行装置１０の機能構成の一例を示す図である。
【図３】鉄道における利用区間と、対象施設７０との関係を例示した図である。
【図４】通信部１２がセンターサーバ８０から受信する情報の内容を例示した図である。
【図５】自動改札機４０を鉛直上向き方向から見た形状の一例を示す図である。
【図６】自動改札機４０の機能構成の一例を示す図である。
【図７】媒体Ｍに記憶された情報のうち、通常状態においてデコード部５１がデコードする情報の範囲と、デコード範囲が拡張されたときにデコード部５１がデコードする情報の範囲とを示す図である。
【図８】利用区間内で往復乗車した場合に乗車済と判断する場合の処理を模式的に示す図である。
【図９】利用区間内で所定回数乗車したときに乗車済と判断する場合の処理を模式的に示す図である。
【図１０】施設利用料処理装置６０の機能構成の一例を示す図である。
【発明を実施するための形態】
【０００７】
以下、実施形態の利用料処理システム、発行装置、および運賃処理装置を、図面を参照して説明する。
【０００８】
図１は、第１の実施形態に係る利用料処理システム１の全体構成の一例を示す図である。利用料処理システム１は、例えば、発行装置１０と、複数の駅務システム３０と、施設利用料処理装置６０と、センターサーバ８０とを備える。なお、以下の説明では、「交通機関」の一例として鉄道を例にとって説明するが、実施形態の利用料処理システム１は、バス、航空機、船舶等にも適用可能である。
【０００９】
発行装置１０は、例えば、コンビニエンスストアやチケット販売業者等の施設内、駅構内等の任意の箇所に設置される。発行装置１０は、センターサーバ８０から受信したセット販売情報に基づいて、利用者による鉄道の利用権と対象施設７０の利用権とのセット販売を行い、その購入情報をＩＣ（Integrated  Circuit）カードや電子機器等の媒体Ｍに書き込む。セット販売情報は、例えばイベントコードによって識別される情報である。
【００１０】
図２は、発行装置１０の機能構成の一例を示す図である。発行装置１０は、例えば、通信部１２と、タッチパネル（受付部）１４と、制御部１６と、書込部１８とを備える。通信部１２は、ネットワークＮＷを介してセンターサーバ８０と通信する。ネットワークＮＷは、例えば、ＶＰＮ（Virtual  Private  Network）網、専用通信回線網、ＷＡＮ（Wide  Area  Network）、ＬＡＮ（Local  Area  Network）、ＰＳＴＮ（Public  Switched  Telephone  Network；公衆交換電話網）等、または、これらの組み合わせによって構成される情報通信ネットワークである。通信部１２は、例えば、ネットワークＮＷに接続するためのネットワークカード等を含む。通信部１２は、センターサーバ８０から、鉄道における利用区間と、対象施設７０の利用権とのセット販売に関する情報を取得する。
【００１１】
図３は、鉄道における利用区間と、対象施設７０との関係を例示した図である。図示するように、対象施設７０は、鉄道路線ｒの沿線上にある施設であり、レジャー施設、飲食店、コンサート会場、神社仏閣、自然公園等、種々のものが該当し得る。鉄道路線Ｒ１は、例えば主要路線である鉄道路線Ｒ上の駅ｒ１と対象施設の最寄駅ｒ５を結ぶものであり、対象施設７０の利用者は、鉄道路線ｒを利用して対象施設７０を訪れる可能性が高い。このため、鉄道路線ｒの利用権と、対象施設７０の利用権を例えば割引価格でセット販売することで、鉄道の利用と対象施設の利用の双方を促進することができる。
【００１２】
通信部１２がセンターサーバ８０から受信する情報には、セット販売を行う対象の期間（利用期間）、利用区間毎、利用種別毎のセット販売料金等の情報が含まれる。図４は、通信部１２がセンターサーバ８０から受信する情報の内容を例示した図である。
【００１３】
タッチパネル１４は、例えば、ＬＣＤ（Liquid  Crystal  Display）や有機ＥＬ（ElectroLuminescence）表示装置に接触検知機構が組み合わされたものである。発行装置１０は、受付部として、タッチパネル１４に代えて（又は加えて）、キーボードやマウス、専用キー等の入力デバイス、或いは購入情報を記載したバーコードや二次元コード等を読み取る読取部等を備えてもよい。制御部１６は、例えば、ＣＰＵ（Central  Processing  Unit）等のプロセッサを含む。制御部１６は、ユーザによるタッチパネル１４に対する検索操作に応じて、セット購入画面をタッチパネルに表示させる。この表示画面は、例えば図４に例示した情報に基づいて生成される。利用者がタッチパネル１４において所望の利用区間と利用種別を選択すると、制御部１６は、書込部１８に対して購入情報を書き込むように指示する。また、制御部１６は、確定した購入者の情報（氏名、生年月日、電話番号等）、イベントコード、利用区間や利用種別の情報等をセンターサーバ８０に送信するように、通信部１２に指示する。
【００１４】
書込部１８は、例えば、ＲＦＩＤ（Radio  Frequency  IDentificaito）通信部を備える。書込部１８は、利用者が提示した媒体Ｍに向けて磁界を発生させ、磁界を利用した電磁誘導によって利用者が提示した媒体Ｍに内蔵されたＩＣに電力を供給し、ＩＣを起動させる。書込部１８は、動作したＩＣと無線通信を行って、媒体ＭのＩＣが備える記憶部に購入情報を書き込む。ここで、発行装置１０が購入情報を書き込む媒体Ｍは、利用者が元々保持していたものであってもよいし、新規に発行装置１０が発行するものであってもよい。
【００１５】
駅務システム３０は、例えば、駅サーバ３２と、一または複数の自動改札機（運賃処理装置）４０とを備える。駅サーバ３２は、発行装置１０の通信部１２と同様の構成要素を有し、ネットワークＮＷを介してセンターサーバ８０と通信する。センターサーバ８０から駅サーバ３２には、セット販売の利用期間等の情報が送信される。駅サーバ３２と自動改札機４０は、ＬＡＮ等により通信可能に接続されている。図５は、自動改札機４０を鉛直上向き方向から見た形状の一例を示す図である。また、図６は、自動改札機４０の機能構成の一例を示す図である。自動改札機４０は、例えば磁気券投入口４１と、磁気券読書部４２と、リーダライタ４３と、記憶部４４と、扉４５と、制御部５０とを備える。
【００１６】
利用者が磁気券投入口４１に投入した磁気券は、自動改札機４０の内部の搬送機構によって搬送され、磁気券読書部４２に届けられる。磁気券読書部４２は、磁気券から必要な情報を読み取り、制御部５０に出力する。また、磁気券読書部４２は、例えば乗り換え乗車などの場合、経由駅の情報等を磁気券に書き込む。なお、自動改札機４０は、媒体Ｍのみ処理するものであってよい。
【００１７】
リーダライタ４３は、発行装置１０と同様にＲＦＩＤ通信部を備え、媒体Ｍからエンコードされた情報（エンコード情報）を読み込むと共に、エンコードされた情報を媒体Ｍに書き込む。
【００１８】
記憶部４４は、例えば、ＲＯＭ（Read  Only  Memory）やＲＡＭ（Random  Access  Memory）、フラッシュメモリ、ＨＤＤ（Hard  Disk  Drive）等である。記憶部４４は、制御部５０のプロセッサが実行するプログラム、通常運賃処理部５３が処理に用いる運賃テーブル（不図示）等を格納する。
【００１９】
扉４５は、図示しないアクチュエータによって駆動され、制御部５０によって、自動改札機４０を通過する利用者を妨害しない開放状態と、自動改札機４０を通過する利用者を妨害する閉止状態とのいずれかに制御される。
【００２０】
制御部５０は、デコード部５１と、エンコード部５２と、通常運賃処理部５３と、トリガ判定部５４と、セット乗車処理部５５と、扉制御部５６とを備える。これらの機能部は、例えばＣＰＵ等のプロセッサが記憶部４４に格納されたプログラムを実行することにより機能するソフトウェア機能部である。また、これらの機能部のうち一部または全部は、ＬＳＩ（Large  Scale  Integration）やＡＳＩＣ（Application  Specific  Integrated  Circuit）等のハードウェア機能部であってもよい。例えば、デコード部５１とエンコード部５２は、リーダライタ４３に内蔵されるハードウェアであってもよい。
【００２１】
デコード部５１は、リーダライタ４３が媒体Ｍから読み取ったエンコード情報をデコードし、他の機能部に出力する。エンコード部５２は、他の機能部により指示された情報をエンコードし、リーダライタ４３に出力する。リーダライタ４３は、エンコード部５２から入力された情報を媒体Ｍに書き込む。なお、磁気券についても同様に、エンコード部とデコード部が存在してよい。
【００２２】
ここで、デコード部５１は、通常状態において、媒体Ｍから読み取った情報のうち一部のみデコードするように設定されている。これによって、自動改札機４０が迅速な運賃処理を行うことが可能となっている。そして、本実施形態において、デコード部５１は、トリガ判定部５４からの指示に応じて、デコードする範囲を拡張する。これによって、自動改札機４０は、媒体Ｍから通常、出力される情報に加えて、セット購入された運賃の処理を行うことができる。
【００２３】
図７は、媒体Ｍに記憶された情報のうち、通常状態においてデコード部５１がデコードする情報の範囲と、デコード範囲が拡張されたときにデコード部５１がデコードする情報の範囲とを示す図である。図示するように、デコード部５１は、通常状態においては入場駅、経由駅、残高情報といった運賃処理に必要な情報のみデコードするが、デコード範囲が拡張されると、利用履歴やセット購入に係る購入情報等、セット乗車の処理に必要な情報をデコードするようになる。
【００２４】
通常運賃処理部５３は、運賃処理を実行する。通常運賃処理部５３は、使用された券が磁気券である場合、以下に示すような運賃処理を行う。自動改札機４０が入場処理を行う場合、通常運賃処理部５３は、磁気券読書部４２により読み取られた購入区間内に、当該自動改札機４０が設置された駅（以下、当該駅と称する）が入っているか否かを判定し、当該駅が購入区間内に入っている場合に、入場を許可する。通常運賃処理部５３により入場が許可されると、扉制御部５６が扉４５を開放状態にする。一方、自動改札機４０が出場処理を行う場合、通常運賃処理部５３は、磁気券読書部により読み取られた情報の中に、入場駅を示す情報が入っており、且つ、入場駅と当該駅の双方が、購入区間内に入っている場合に、出場を許可する。通常運賃処理部５３により出場が許可されると、扉制御部５６が扉４５を開放状態にする。
【００２５】
通常運賃処理部５３は、使用された券が媒体Ｍ等の媒体である場合、以下に示すような運賃処理を行う。自動改札機４０が入場処理を行う場合、通常運賃処理部５３は、リーダライタ４３により読み取られた情報のうち残額情報を参照し、残額情報が所定の下限値を下回っているか否かを判定する。残額情報が所定の下限値を下回っている場合、通常運賃処理部５３は、入場を許可しない。通常運賃処理部５３により入場が許可されない場合、扉制御部５６が扉４５を閉止状態にする。所定の下限値とは、例えば、当該駅からの運賃が最も安い他の駅までの運賃である。残額情報が所定の下限値以上である場合、入出場処理部は、入場を許可すると共に、入場駅の情報を媒体に書き込むようにリーダライタ４３に指示する。一方、自動改札機４０が出場処理を行う場合、通常運賃処理部５３は、リーダライタ４３により読み取られた入場駅の情報を参照し、入場駅から当該駅までの運賃を、運賃テーブルを検索することで取得する。そして、入場駅から当該駅までの運賃が、リーダライタ４３により読み取られた残額情報の示す残額以下である場合に、出場を許可すると共に、残額情報から運賃を差し引いて残額情報を更新するようにリーダライタ４３に指示する。
【００２６】
デコード部５１のデコード範囲を拡張する指示を表す拡張指示信号を出力する媒体（拡張指示媒体）がリーダライタ４３に翳されると、拡張指示信号がトリガ判定部５４に出力される。拡張指示信号が入力されると、トリガ判定部５４は、デコード部５１にデコード範囲を拡張するように指示する。また、デコード範囲が拡張された状態において、デコード部５１のデコード範囲を元に戻す指示を表す復旧指示信号を出力する媒体（復旧指示媒体）がリーダライタ４３に翳されると、復旧指示信号がトリガ判定部５４に出力される。復旧指示信号が入力されると、トリガ判定部５４は、デコード部５１にデコード範囲を通常情阿智におけるデコード範囲に戻すように指示する。
【００２７】
セット乗車処理部５５は、センターサーバ８０から駅サーバ３２を介して受信する指示信号に応じて起動し、セット購入された運賃の処理を行う。以下、これについて説明する。セット購入された運賃についてセット乗車処理部５５は、例えば、（１）利用区間内で往復乗車したときに乗車済と判断する、（２）区間内で所定回数（例えば３回）乗車した（出場した）ときに乗車済と判断する、のいずれかの指針に基づいて運賃処理を行う。
【００２８】
（１）利用区間内で往復乗車したときに乗車済と判断する場合、セット乗車処理部５５は、例えば、媒体Ｍが記憶する履歴情報や入場駅の情報を参照し、時期的な利用期間内において、鉄道路線の利用区間（ｒ１〜ｒ５）内で、ある入場駅ｒ１から出場駅ｒ５まで乗車し、その後、入場駅ｒ５から出場駅ｒ１まで乗車した場合に、媒体Ｍに乗車済フラグを書き込むようにリーダライタ４３に指示する。図８は、利用区間内で往復乗車した場合に乗車済と判断する場合の処理を模式的に示す図である。図中、括弧内の数字は何度目の乗車であるかを示している。この場合、入場駅ｒ１から出場駅ｒ５までの間、或いは入場駅ｒ５から出場駅１までの間における途中下車は許容されてよい。
【００２９】
（２）利用区間内で所定回数乗車したときに乗車済と判断する場合、セット乗車処理部５５は、例えば、媒体Ｍが記憶する履歴情報や入場駅の情報を参照し、時期的な利用期間内において、鉄道路線の利用区間内で、運行方向を問わず乗車されて所定回数目の出場となった場合に、媒体Ｍに乗車済フラグを書き込むようにリーダライタ４３に指示する。図９は、利用区間内で所定回数乗車したときに乗車済と判断する場合の処理を模式的に示す図である。図中、括弧内の数字は何度目の乗車であるかを示している。
【００３０】
施設利用料処理装置６０は、セット購入された対象施設７０の利用料の処理を行う。図１０は、施設利用料処理装置６０の機能構成の一例を示す図である。施設利用料処理装置６０は、通信部６２と、リーダライタ６４と、制御部６６とを備える。通信部６２は、ネットワークＮＷを介してセンターサーバ８０からセット購入可能な利用種別の一覧を取得する。リーダライタ６４は、利用者によって翳された媒体Ｍから自身に対応する項目の購入済フラグ（図７における「１」）を削除し、「０」に書き換える。リーダライタ６４がこの処理を行うと、制御部６６は、ゲート制御、発券、注文確定等の利用処理を行う。また、施設利用料処理装置６０における利用者の利用履歴は、センターサーバ８０にアップロードされて統計処理に用いられてもよい。
【００３１】
以上説明した少なくともひとつの実施形態によれば、利用者による鉄道（交通機関）の利用権と対象施設６０の利用権とのセット購入を受け付けると共に、鉄道の利用区間を認識可能な情報と対象施設６０の利用情報を同一の媒体Ｍに書き込む発行装置１０と、それぞれの利用処理を同一の媒体Ｍに基づいて行う自動改札機４０および施設利用料処理装置６０を持つことにより、利用者にとっての利便性を高めることができる。利用者は、鉄道用の媒体と対象施設７０用の媒体とをそれぞれ用意する必要が無くなるからである。また、鉄道事業者等にとっては、沿線にある対象施設７０の利用と、鉄道の利用との双方を促進することができる。
【００３２】
なお、上記実施形態において、媒体Ｍの利用履歴を媒体Ｍ自身が記憶する態様について説明したが、媒体Ｍの利用履歴はセンターサーバ８０内に格納されてもよい。この場合、媒体Ｍは自身の識別情報を記憶し、自動改札機４０や対象施設６０は、読み取った媒体Ｍの識別情報をセンターサーバ８０に送信することで、媒体Ｍの利用履歴を取得すると共に、更新する処理を行う。
【００３３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３４】
１…利用料処理システム、１０…発行装置、１２…通信部、１４…タッチパネル、１６…制御部、１８…書込部、３０…駅務システム、３２…駅サーバ、４０…自動改札機、４３…リーダライタ、４４…記憶部、４５…扉、５０…制御部、５１…デコード部、５２…エンコード部、５３…通常運賃処理部、５４…トリガ判定部、５５…セット乗車処理部、５６…扉制御部、６０…施設利用料処理装置、６２…通信部、６４…リーダライタ、６６…制御部、８０…センターサーバ
【図１】
2015176244.tif 000003
【図２】
2015176244.tif 000004
【図３】
2015176244.tif 000005
【図４】
2015176244.tif 000006
【図５】
2015176244.tif 000007
【図６】
2015176244.tif 000008
【図７】
2015176244.tif 000009
【図８】
2015176244.tif 000010
【図９】
2015176244.tif 000011
【図１０】
2015176244.tif 000012